(57)【要約】【課題】洗浄ブラシの内側に水を溜めることにより、使用時に無意味に洗浄ブラシが重くなることや保管時にカビが生え不衛生になることを防ぐ電動式浴槽洗浄装置を提供する。【解決手段】モータケースと、モータケース内に設けられたモータと、モータケース内にモータに続けて設けられた減速機構と、減速機構からつながり、モータケース外に突出した駆動軸と、駆動軸に対して着脱自在に取り付けられる洗浄ブラシと、モータの動力源となる電源部と、電源部からモータへ電力を供給する回路を開閉するスイッチとを備えた取っ手ケースからなり、洗浄ブラシの一部にブラシ内外に貫通する穴を設けたことを特徴とする電動式浴槽洗浄装置。【選択図】図１
2010004996.tif 000002
【特許請求の範囲】
【請求項１】
モータケースと、
前記モータケース内に設けられたモータと、
前記モータケース内に前記モータに続けて設けられた減速機構と、
前記減速機構からつながり、前記モータケース外に突出した駆動軸と、
前記駆動軸に対して着脱自在に取り付けられる洗浄ブラシと、
前記モータの動力源となる電源部と、
前記電源部からモータへ電力を供給する回路を開閉するスイッチとを備えた
取っ手ケースからなり、
前記洗浄ブラシの一部にブラシ内外に貫通する穴を設けたことを特徴とする電動式浴槽洗浄装置。
【発明の詳細な説明】
【技術分野】
【０００１】
本発明は、一般家庭の浴槽だけでなく、業務用の大型の浴槽であっても軽労働で効率的に手際よく洗浄することのできる電動式洗浄装置に関するものである。
【背景技術】
【０００２】
従来、一般家庭の浴槽を洗浄するに際しでは、洗浄用のブラシやスポンジなどを用いた手作業で行っていたが、この洗浄作業は、腰をかがめながらの無理な姿勢で浴槽の表面を擦り洗いしなければならないので、かなりの重労働を強いられることになる。そこで、近年では、作業者の労力を軽減できる容易な作業で迅速に浴槽表面を洗浄することのできる電動式の浴槽洗浄装置が案出されている。以下従来の電動式浴槽洗浄装置の一例を示す。
【０００３】
従来の電動式浴槽洗浄装置を図３及び図４に示す。図３は正面図を示しており、取っ手ケース３０１は電源としての電池（図示せず）を内蔵しており、電源をオン、オフさせるスイッチ３０３を備えた中間ケース３０２と着脱可能に連結されている。また、電源としての電池とスイッチ３０３は連結状態にしたときに互いに接触して電気的に接続する接続プラグ部(図示せず)を有している。長尺の柄パイプ３０４の一方は中間ケースの３０２に固着連結されており、他端はモータ４０３及び減速機構４０４を内蔵したモータケース３０５と固着連結されており、中間ケース３０２に備えられたスイッチ３０３とモータケース３０５内のモータ４０３はリード線（図示せず）によって接続されている。次に図４はモータケースの拡大断面図を示しており、モータケース３０５は、スイッチ（図示せず）からつながったリード線４０２と、リード線４０２に連結されたモータ４０３とモータ４０３につながる減速機構４０４を有しており、減速機構４０４から突出した駆動軸４０５はモータケース３０５から外部に出ている。そして洗浄ブラシ４０６は、駆動軸４０５と着脱自在に連結されている。以上のように構成された従来の電動式浴槽洗浄装置において、以下その動作について説明する。
【０００４】
まず、取っ手ケース３０１と中間ケース３０２を連結させ、さらにモータケース３０５から突出した駆動軸４０５と洗浄ブラシ４０６を連結させたのち、スイッチ３０３をオフさせる。すると、取っ手ケース３０１内の電源から、電気が供給され、リード線４０２を通じてモータ４０３を回転させる。モータ４０３の回転は減速機構４０４を通じて減速したのち、駆動軸４０５を介して洗浄ブラシ４０６に回転を伝える。そして回転する洗浄ブラシ４０６を、洗浄液及び水をかけた浴槽壁面におしつけながら、洗浄ブラシを移動させることにより、浴槽壁面の汚れを剥ぎ取る。作業が終了したら、スイッチ３０３をオフにして、洗浄ブラシ４０６の回転を止める（例えば、特許文献１参照）。
【特許文献１】特開２００２−２５３４７３号公報
【発明の開示】
【発明が解決しようとする課題】
【０００５】
しかしながら、この従来の電動式浴槽洗浄装置は、モータケースと洗浄ブラシの接続部において、着脱自在でかつ洗浄ブラシを回転させるため、ブラシの内側を防水構成にすることが困難である。そのため洗浄ブラシ内部に水が入ると、水が抜けないため動作時に洗浄ブラシ部が重くなり、使い勝手が悪くなる。また、使用後は風呂場内に立てかけたり、吊るして保管することが多いため、使用後にも洗浄ブラシ内に水を溜めたままでの放置となることが多く、洗浄ブラシ内にカビが生えて不衛生になるなどの課題を有していた。
【課題を解決するための手段】
【０００６】
前記従来の課題を解決するために、本発明の電動式浴槽洗浄装置はモータケースと、モ
ータケース内に設けられたモータと、モータケース内にモータに続けて設けられた減速機構と、減速機構からつながり、モータケース外に突出した駆動軸と、駆動軸に対して着脱自在に取り付けられる洗浄ブラシと、モータの動力源となる電源部と、電源部からモータへ電力を供給する回路を開閉するスイッチとを備えた取っ手ケースからなり、洗浄ブラシの一部にブラシ内外に貫通する穴を有する構成としている。
【０００７】
本発明の洗浄ブラシの内外に貫通した穴を設けることにより、モータケースと洗浄ブラシの隙間から洗浄ブラシの内側に入った水をブラシ外に排出することが可能となる。
【発明の効果】
【０００８】
本発明によると、洗浄ブラシの内側に水を溜めることがなくなるので、使用時に無意味に洗浄ブラシが重くなることがなく、かつ、保管時においても洗浄ブラシ内に水を留めることが無いので、カビが生えにくく衛生的で使いやすい電動式浴槽洗浄装置となる。
【発明を実施するための最良の形態】
【０００９】
以下の本発明を実施するための最良の形態について、図面を参照しながら説明する。
【００１０】
（実施の形態１）
図１は本発明の実施の形態１における電動式浴槽洗浄装置の倒置状態の正面図である。この浴槽洗浄装置は、握持できる外径円筒状となった取っ手ケース１０１と、この取っ手ケース１０１の下端部に上端部が着脱自在に連結された中間ケース１０２と、この中間ケース１０２の下端部に上端部が連結された柄パイプ１０３と、この柄パイプ１０３の下端部に上端部が連結されたモータケース１０４と、このモータケース１０４の下端部に装着された洗浄ブラシ１０７とが、この順序で連接された構成になっている。
【００１１】
取っ手ケース１０１は内部に駆動源の二次電池が複数個直列接続状態で収納されるようになっているとともに、前記二次電池の電源をON、OFFさせるスイッチ１０５を備え、この二次電池（図示せず）を充電する際に、係止フック部材１０８を操作して中間ケース１０２から取り外せるようになっている。
【００１２】
すなわち、この浴槽洗浄装置では、取っ手ケース１０１のみが他のものから取り外し可能になっている。そして、取っ手ケース１０１内の二次電池を充電するには、取っ手ケース１０１のみを取り外して、この取っ手ケース１０１に適合した充電台（図示せず）を用いて充電する。
【００１３】
また、モータケース１０４には、取っ手ケース１０１の二次電池から電源供給されて回転駆動するモータ２０１と、このモータ２０１の回転数を減速させて洗浄ブラシ１０７に伝達する減速機構２０２とが内蔵されている。柄パイプ１０３は、取っ手ケース１０１内の二次電池とモータケース１０４内のモータ２０１とを接続するための接続コード線が収納されている。
【００１４】
図２は本発明の実施の形態１における電動式浴槽洗浄装置のモータケース１０４と洗浄ブラシ１０７とを示す拡大縦断面図である。モータケース１０４内には電源コード線２０３に接続された作動源のモータ２０１と、このモータ２０１の回転を所定の回転数に減速させる減速機構２０２とが収納されている。減速機構２０２の下端から突設された駆動軸２０４には、洗浄ブラシ１０７の回転体２０５が軸着されている。回転体２０５は円筒体の先端部分に半球面体が連結された構成になっており、この回転体２０５に形成された多数個の植毛穴２０５ａにポリプロピレンやナイロンの樹脂製のブラシ毛２０６が植毛されて洗浄ブラシ１０７が構成されている。また回転体２０５は円筒体あるいは先端部分の半球面体に1つ以上の貫通穴２０７がもうけられており洗浄ブラシの内外を連通させている
。なお、ブラシ毛２０６は、前端側周部が湾曲形の外形を有するようにカットされており、これにより浴槽のコーナー部分も、容易に洗浄できるようになっている。
【００１５】
以上のように構成された電動式浴槽洗浄装置について、図１及び図２を用いてその動作を説明する。まず、専用充電器にて充電された二次電池を備えた取っ手ケース１０１を中間ケース１０２と連結させるとともに、洗浄ブラシ１０７をモータケース１０４先端に嵌着させる。次にスイッチ１０５を押圧すると二次電池より電源が供給されモータ２０１が回転し、減速機構２０２にて回転数が減速され、駆動軸２０４を介して洗浄ブラシ１０７が回転する。あらかじめ洗浄液をかけた浴槽の壁に、回転している洗浄ブラシ１０７を押し付けることにより、壁面の汚れが落とされる。また、効率よく、落とすには水をかけながら、使用することもしばしばある。この際、洗浄ブラシ１０７とモータケース１０４の間から、洗浄ブラシ１０７の内側に水が浸入するものの、洗浄ブラシ１０７に空けられた貫通穴２０７から、水は排出されるので、洗浄ブラシ１０７内に水は溜まらず、無意味に洗浄ブラシ１０７が重くなることがなく、作業性がよい。
【００１６】
そして、作業終了後スイッチ１０５を再び押圧することにより、電源はストップされる。その後、取っ手ケース１０１内の二次電池を充電するために、係止フック部材１０８を操作して中間ケース１０２から取り外し、二次電池は専用充電器にて、充電するとともに、その他の部位は、浴室内に吊り下げたり、立てかけたりして、保管する。取っ手ケース１０１以外は、浴室内に保管され水がかかることがあるが、洗浄ブラシ１０７内に水が溜まったままになることがないので、カビを防ぐことができるという効果を有する。
【産業上の利用可能性】
【００１７】
本発明にかかる電動式浴槽洗浄装置は、洗浄ブラシの内側に水を溜めることがなくなるので、使用時に無意味に洗浄ブラシが重くなることがなく、また保管時においても洗浄ブラシ内に水を留めることが無いので、カビが生えにくく衛生的で使いやすいため、一般家庭の浴槽だけでなく、業務用の大型の浴槽であっても軽労働で効率的に手際よく洗浄することのできる電動式洗浄装置として有用である。
【図面の簡単な説明】
【００１８】
【図１】本発明の実施の形態１における電動式浴槽洗浄装置の倒置状態の正面図
【図２】同実施の形態１における拡大縦断面図
【図３】従来の電動式浴槽洗浄装置の正面図
【図４】従来の電動式浴槽洗浄装置のモータケースの拡大断面図
【符号の説明】
【００１９】
１０１  取っ手ケース
１０２  中間ケース
１０３  柄パイプ
１０４  モータケース
１０５  スイッチ
１０７  洗浄ブラシ
２０１  モータ
２０２  減速機構
【図１】
2010004996.tif 000003
【図２】
2010004996.tif 000004
【図３】
2010004996.tif 000005
【図４】
2010004996.tif 000006